(57)【要約】      （修正有）【課題】トンネル栽培等に使用する農業用ネットとして、防虫及び遮光、遮熱兼用で使用できるネットを提供する。【解決手段】合成繊維糸により害虫の侵入防止に効果のある目合いのネット状に織編されて構成された農業用ネット１であり、幅方向の中央部領域２と両側部領域３，３とに区画され、中央部領域２が、少なくとも一部の合成繊維糸が着色されることにより無着色の両側部領域３，３より遮光率が高くされている。【選択図】図３
0003158042.tif 000002
【実用新案登録請求の範囲】
【請求項１】
合成繊維糸により害虫の侵入防止に効果のある目合いのネット状に織編されて構成された農業用ネットであり、幅方向の中央部領域と両側部領域とに区画され、中央部領域は、少なくとも一部の合成繊維糸が着色されることにより無着色の両側部領域より遮光率が高くなっている特徴する農業用ネット。
【請求項２】
合成繊維糸を経糸と緯糸にして織成されたネットであり、中央部領域において経糸が着色されてなる請求項１に記載の農業用ネット。
【請求項３】
両側部領域では経糸と緯糸の双方に透明なモノフィラメント糸が用いられ、中央部領域では緯糸に透明なモノフィラメント糸が、経糸に着色されたモノフィラメント糸が用いられてなる請求項２に記載の農業用ネット。
【請求項４】
中央部領域の遮光率が２０〜７５％、両側部領域の遮光率が２０％未満である請求項３に記載の農業用ネット。
【請求項５】
合成繊維糸として透明なモノフィラメント糸を経糸と緯糸に用いて織成され、織成後に中央部領域が着色されてなる請求項１に記載の農業用ネット。
【請求項６】
トンネル栽培用に使用されるネットである請求項１〜５のいずれか１項に記載の農業用ネット。
【考案の詳細な説明】
【技術分野】
【０００１】
本考案は、主としてトンネル栽培やハウス栽培等において使用される、防虫及び遮光、遮熱兼用の農業用ネットに関するものである。
【背景技術】
【０００２】
トンネル栽培やハウス栽培等に使用される農業用ネットとしては、その使用目的に応じて目合いや形態の異なるネットが使用されている。例えば、防虫ネットとしては、モノフィラメント糸を経糸と緯糸に使用してネット状に織成されてネットが主に用いられ、また遮光ネットとしては、経編編成による鎖編の編目列よりなる糸条部に対して遮光性のテープ状糸を横振り挿入して編成されたネットが主に用いられている。
【０００３】
防虫ネットによるトンネル栽培において使用される防虫ネットは、その構成糸が無着色で透明のモノフィラメント糸よりなるものが普通であり、害虫の侵入防止には効果があっても、遮光や遮熱の効果は殆ど有さないものである。そのため、特に夏季等の陽射しの強いときには、トンネル天井部等に、別体の遮光ネットや遮光シートを重ねることにより、遮光、遮熱することが行われている。
【０００４】
しかしながら、前記のように別体の遮光ネットや遮光シートを重ねるのは、不経済であり、また面倒な被覆作業を必要とするばかりか、農業用ネットの通風性が損なわれることで、トンネル内が高温になってムレ等が生じ易くなり、栽培野菜等の生育に悪影響を与える虞があった。
【考案の開示】
【考案が解決しようとする課題】
【０００５】
本考案は、上記の問題を解決するためになしたものであり、主としてトンネル栽培に使用する農業用ネットとして、防虫及び遮光、遮熱兼用で使用でき、別体のネットや遮光シートを被覆する必要がなく、しかも良好な防虫及び遮光、遮熱の効果を発揮できるネットを提供するものである。
【課題を解決するための手段】
【０００６】
上記の課題を解決する本考案は、合成繊維糸により害虫の侵入防止に効果のある目合いのネット状に織編されて構成された農業用ネットであり、幅方向の中央部領域と両側部領域とに区画され、中央部領域は、少なくとも一部の合成繊維糸が着色されることにより無着色の両側部領域より遮光率が高くなっていることを特徴する。
【０００７】
この農業用ネットによれば、全体が害虫の侵入防止に効果のある目合いのネット状をなすものでありながら、幅方向の中央部領域が着色されていることにより無着色の両側部領域より遮光率が高くなっているため、他の遮光ネットや遮光シートを重ねなくても、単独で適度の遮光、遮熱の効果を発揮できる。
【０００８】
前記の農業用ネットとして、合成繊維糸を経糸と緯糸にして織成されたネットであり、中央部領域において経糸が着色されてなるものが好適である。これにより、本考案の農業ネットは、従来の防虫ネットと変わらない防虫効果を有しながら、中央部領域において適度の遮光効果も有することになる。
【０００９】
前記の農業用ネットとして、両側部領域では緯糸と経糸の双方に透明なモノフィラメント糸が用いられ、中央部領域では緯糸に透明なモノフィラメント糸が、経糸に着色されたモノフィラメント糸が用いられてなるものが、両側部領域の遮光率を低く保持しながら、中央部領域の遮光率を高くすることができる。
【００１０】
前記の農業用ットにおいて、中央部領域の遮光率は２０〜７５％、両側部領域の遮光率が２０％未満であるものが好ましい。
【００１１】
前記の農業用ネットにおいて、合成繊維糸として透明なモノフィラメント糸を経糸と緯糸に用いて織成され、織成後に中央部領域が着色されてなるものとすることもできる。この場合も、前記同様に中央部領域の遮光率を両側部領域よりも高くすることができる。
【００１２】
前記の各考案の農業用ネットは、トンネル栽培用に好適に使用することができる。
【考案の効果】
【００１３】
本考案の農業用ネットによれば、幅方向の中央部領域が着色されて無着色の両側部領域より遮光率が高くなっているため、これを例えばトンネル栽培に使用した場合には、ネット全体が害虫の侵入防止に効果のある目合いをなしていることで良好な防虫効果を発揮しながら、トンネルの天井部に相当する前記中央部領域が適度の遮光の効果を発揮でき、またこれにより遮熱の効果も発揮できることになる。そのため、特に夏季等においても、トンネル天井部等に別体の遮光ネットや遮光シートを重ねる必要がなく、経済的であり、また農業用ネットの通風性が損なわれることもないため、トンネル内が高温になってムレ等が生じる虞もなく、栽培野菜等の生育を損なうことがない。
【図面の簡単な説明】
【００１４】
【図１】本考案の農業用ネットの１実施例を示す略示斜視図である。
【図２】同上の農業用ネットの中央部領域の一部の拡大平面図である。
【図３】同上の農業用ネットの使用状態の略示斜視図である。
【考案を実施するための形態】
【００１５】
次に本考案の実施の形態を図面に示す実施例に基づいて説明する。
【００１６】
この農業用ネット（以下、単にネットという場合もある）１は、基本的に、トンネル栽培において防虫及び遮光、遮熱兼用で使用されるネットであり、合成繊維糸好ましくはモノフィラメント糸により、害虫の侵入防止に効果のある目合いでネット状に織編それて構成されてなる。例えば、前記モノフィラメント糸等の合成繊維糸を経糸と緯糸にして織成されてなる。前記ネット１の目合いは、防虫効果を考慮して従来と同様に適宜設定され、例えばネット目が０．３〜１．０ｍｍの開孔をなすように構成される。
【００１７】
本考案の場合、前記の農業用ネット１は、幅方向の中央部領域２と両側部領域３，３とに区画され、中央部領域２は、少なくとも一部の合成繊維糸が着色されることにより無着色の両側部領域３，３よりも遮光率（無ネット状態に対する遮光率）が高くなるように構成されている。
【００１８】
図の場合は、前記合成繊維糸としてのモノフィラメント糸を経糸４と緯糸５に用いて織成された農業用ネット１において、前記中央部領域２において経糸４が着色されることにより、該中央部領域２の遮光率が無着色の両側部領域３，３より高くされている。
【００１９】
具体的には、前記両側部領域３，３では経糸４と緯糸５の双方に透明なモノフィラメント糸が用いられ、中央部領域２では緯糸５に透明なモノフィラメント糸が、経糸４に着色されたモノフィラメント糸が用いられて織成されており、これにより、該中央部領域２の遮光率が両側部領域３，３よりも高くなっている。
【００２０】
前記中央部領域２および両側部領域３，３の遮光率、すなわち無ネット状態に対する遮光率は２０〜８０％、好ましくは２５〜７５％とし、また両側部領域３，３は無着色で透明のモノフィラメント糸よりなるものであっても、経糸４と緯糸５による織成により、僅かながら遮光されることになるので、実施上は２０％未満、好ましくは５〜２０％の遮光率とする。
【００２１】
前記中央部領域２に使用する経糸４の着色の色としては、黒や緑色、白色や乳白色、シルバーその他のあらゆる色による実施が可能であり、得ようとする遮光率に応じて適宜の色を選択できる。また、前記同様に着色した半透明のモノフィラメント糸を中央部領域２の経糸４に使用することも可能である。
【００２２】
使用するモノフィラメント糸等の合成繊維糸の太さは、設定される目合い等に応じて適宜選択でき、例えば３４〜３４０ｄｔｅｘの糸が用いられる。
【００２３】
なお、本考案は、上記のように合成繊維糸を経糸と緯糸に用いて織成されるネットには限らず、経編編成による鎖編の編目列よりなる糸条部に対して例えばモノフィラメント糸を挿入糸として横振り挿入して編成されたネットにおいて、中央部領域の前記挿入糸を着色して、両側部領域より遮光率を高くして実施することもできる。
【００２４】
また、本考案は、合成繊維糸として透明なモノフィラメント糸を経糸と緯糸に用いて織成されたネットにおいて、織成後に中央部領域全体に着色を施すことにより、該中央部利用生きの遮光率を両側部領域より高くして実施することもできる。
【００２５】
上記の構成による農業用ネット１において、ネット全体の幅や長さ、中央部領域２及び両側部領域３，３の幅等は、トンネル栽培での使用状態や用途に応じて適宜設定でき、例えばネット幅は３〜６ｍ、長さは数十ｍ〜数百ｍとされる。また前記中央部領域２の幅は前記ネット幅の約１／２、例えばネット幅が３．０ｍの場合には１．５ｍ前後、ネット幅が６ｍの場合には３．０ｍ前後に設定され、さらに両側部領域３，３の幅は、残余の幅の１／２程度に設定される。なお、両側部領域３，３の幅は必ずしも同寸法である必要はなく、多少の寸法差をつけることもできる。
【００２６】
上記した構成の農業用ネット１は、例えば図３のように野菜のトンネル栽培において、中央部領域２をトンネル天井部にして使用する。この使用において、ネット全体が害虫の侵入防止に効果のある目合いをなしていることで良好な防虫効果を発揮しながら、トンネル天井部に相当する前記中央部領域２は着色されていることにより無着色の両側部領域３，３より遮光率が高くなっている。そのため、他の遮光ネットや遮光シートを重ねなくても、単独で適度の遮光、遮熱の効果を発揮できる。
【００２７】
したがって、特に夏季等においても、トンネル天井部等に別体の遮光ネットや遮光シートを重ねる必要がなく、経済的であり、また農業用ネットの通風性が損なわれることもないため、トンネル内が高温になってムレ等が生じるような虞がなく、栽培している野菜等の生育を損なうことがない。
【００２８】
なお、図示説明を省略するが、本考案の農業用ネットを、ハウス栽培においてハウス用シート等と組み合わせて使用する遮光、遮熱兼用の防虫ネットとしても使用することもでき、この場合も、上記と同様の効果を奏する。
【符号の説明】
【００２９】
１…農業用ネット、２…中央部領域、３，３…両側部領域、４…経糸、５…緯糸
【図１】
0003158042.tif 000003
【図２】
0003158042.tif 000004
【図３】
0003158042.tif 000005